(57)【要約】  高効率で低騒音の空気調和機は、ケース（１）と、送風部と、熱交換器（６）とを備える。送風部は、第１および第２ケーシング（７１，７２）を含む。第１および第２ケーシング（７１，７２）のそれぞれはケーシング吹出口部（７ｄ）を含む。第１および第２ケーシング（７１，７２）におけるケーシング吹出口部（７ｄ）の間隔が、ケース吹出口（２）に近づくほど狭くなるように、第１および第２ケーシング（７１，７２）が並ぶ幅方向におけるケーシング吹出口部（７ｄ）の幅はケース吹出口（２）に近づくほど広くなる。ケース（１）内には、熱交換器（６）が位置する第１領域と、送風部が位置する第２領域およびケーシング吹出口部（７ｄ）の間の第３領域とを区画する仕切り部材（１２）を備える。
2018003103.tif 000002
【特許請求の範囲】
【請求項１】
空気を吸い込むケース吸込口と、空気を吹き出すケース吹出口とを含むケースと、
前記ケース内に配置され、前記ケース吸込口から前記ケース内に吸い込まれた空気を前記ケース吹出口まで送り込むように構成された送風部と、
前記送風部と前記ケース吹出口との間に設けられた熱交換器とを備え、
前記送風部は、互いに間隔をあけて配置された第１および第２ケーシングを含み、
前記第１および第２ケーシングのそれぞれは前記熱交換器に面する位置にケーシング吹出口部を含み、
前記第１および第２ケーシングにおける前記ケーシング吹出口部の間隔が、前記ケース吹出口に近づくほど狭くなるように、前記第１および第２ケーシングが並ぶ幅方向における前記ケーシング吹出口部の幅は前記ケース吹出口に近づくほど広くなり、
前記ケース内には、前記熱交換器が位置する第１領域と、前記送風部が位置する第２領域および前記ケーシング吹出口部の間の第３領域とを区画する仕切り部材を備える、空気調和機。
【請求項２】
前記第２領域と前記第３領域とを区画する他の仕切り部材をさらに備える、請求項１に記載の空気調和機。
【請求項３】
前記第２領域と前記第３領域とは連通している、請求項１に記載の空気調和機。
【請求項４】
前記第３領域の少なくとも一部には中空箱が配置されており、
前記中空箱は、前記第１および第２ケーシングの吹出口部に面する部分の少なくとも一部に、前記１対のケーシング吹出口部の内部と前記中空箱の内部とを連通する開口部を有する、請求項１〜３のいずれか１項に記載の空気調和機。
【請求項５】
前記第１および第２ケーシングにおける前記ケーシング吹出口部の間隔が、前記ケース吹出口に近づくほど狭くなる部分は、前記第３領域と面する側の表面が曲面形状を有している、請求項１〜４のいずれか１項に記載の空気調和機。
【請求項６】
請求項１〜５のいずれか１項に記載の空気調和機を備えた空気調和装置。
【請求項７】
請求項１〜６のいずれか１項に記載の空気調和機を備えた冷凍サイクル装置。
【発明の詳細な説明】
【技術分野】
【０００１】
この発明は、空気調和機、当該空気調和機を備えた空気調和装置および冷凍サイクル装置に関する。
【背景技術】
【０００２】
従来、空気調和機、および当該空気調和機を備えた空気調和装置に備えられる室内機が知られている。たとえば特開２０１０−１１７１１０号公報（特許文献１）には、送風部の吹出口から熱交換器に隣接する位置までの渦型ケーシングの部分を、高さ方向および幅方向に拡大させたディフューザ部を有する室内機が開示されている。
【先行技術文献】
【特許文献】
【０００３】
【特許文献１】特開２０１０−１１７１１０号公報
【発明の概要】
【発明が解決しようとする課題】
【０００４】
従来の天井埋め込み型の空気調和機においては、送風部の吹出口の幅に対し、熱交換器の幅が大きいため、熱交換器を通過する風速分布が幅方向に不均一となっていた。このため熱交換器における圧力損失が増大し、ファンの駆動効率低下と騒音増大の原因となっていた。【０００５】
しかし特許文献１に開示された室内機においては、渦型ケーシングが熱交換器側に向けて幅方向の寸法が大きくなっている。このため送風部の吹出口の幅方向の寸法と熱交換器の幅方向の寸法との差が小さくなる。しかしディフューザ部が熱交換器側に向けて拡大する部分で急激に風路が拡大するため、風路壁面に沿って気流が広がりにくい。ディフューザ部にガイドを設けることにより気流が拡大しやすくなるが、ガイドにより圧力損失が発生するためディフューザ部の拡大による気流の改善の効果を十分に得ることが困難である。【０００６】
また１対の渦型ケーシングに挟まれた領域においては気流が乱れて渦が発生しやすい。このことも圧力損失の原因となる。【０００７】
本発明は上記の課題に鑑みてなされたものであり、その目的は、ガイドを設けることなくディフューザ部すなわちケーシング吹出口部に沿って気流を拡大することで、高効率で低騒音の空気調和機、空気調和装置および冷凍サイクル装置を提供することである。
【課題を解決するための手段】
【０００８】
本発明の空気調和機は、ケースと、送風部と、熱交換器とを備える。送風部は、第１および第２ケーシングを含む。第１および第２ケーシングのそれぞれはケーシング吹出口部を含む。第１および第２ケーシングにおけるケーシング吹出口部の間隔が、ケース吹出口に近づくほど狭くなるように、第１および第２ケーシングが並ぶ幅方向におけるケーシング吹出口部の幅はケース吹出口に近づくほど広くなる。ケース内には、熱交換器が位置する第１領域と、送風部が位置する第２領域およびケーシング吹出口部の間の第３領域とを区画する仕切り部材を備える。
【発明の効果】
【０００９】
本発明によれば、熱交換器における風速分布が均一化され、高効率化と低騒音化とを図ることができる。
【図面の簡単な説明】
【００１０】
【図１】実施の形態１に係る空気調和機の斜視模式図である。
【図２】実施の形態１に係る空気調和機の内部構成を示す模式図である。
【図３】実施の形態１に係る空気調和機の内部構成を空気調和機の側面から見た模式図である。
【図４】図３の線分Ａ−Ａにおける部分断面模式図である。
【図５】実施の形態１に係る空気調和機の内部構成を上方から見た概略平面図である。
【図６】実施の形態１の変形例に係る空気調和機の内部構成を上方から見た概略平面図である。
【図７】実施の形態２に係る空気調和機の内部構成を上方から見た概略平面図である。
【図８】実施の形態３に係る空気調和機の内部構成を上方から見た概略平面図である。
【図９】実施の形態４に係る空気調和機の内部構成を上方から見た概略平面図である。
【図１０】実施の形態５に係る空気調和装置の構成図である。
【発明を実施するための形態】
【００１１】
以下、本実施の形態について図に基づいて説明する。なお図中、同一符号は同一または対応部分を示すものとする。
【００１２】
実施の形態１．
図１は、本発明の実施の形態１に係る多翼遠心型のファンを搭載する空気調和機としての室内機の斜視模式図である。図２は、本発明の実施の形態１に係る空気調和機としての室内機の内部構成を示す模式図である。図３は、本発明の実施の形態１に係る空気調和機の内部構成を空気調和機の側面から見た模式図である。
【００１３】
図１および図２に示すように、空気調和機としての室内機は、空調対象の空間の天井裏に設置されたケース１を備えている。なお、ケース１の形状は任意の形状を採用できる。たとえば一例として、ケース１は直方体状に形成されている。ケース１は、上面部１ａと、下面部１ｂと、側面部１ｃとを含む。
【００１４】
ケース１の側面部１ｃの内、１面にケース吹出口２が設けられている。ケース吹出口２の形状は任意の形状を採用し得る。ケース吹出口２の形状はたとえば矩形状である。また、ケース１の側面部１ｃのうち、ケース吹出口２が形成された面と反対側の面に、ケース吸込口８が形成されている。ケース吸込口８の形状は任意の形状を採用し得る。ケース吸込口８の形状はたとえば矩形状である。ケース吸込口８には、空気を除塵するフィルタが設けられていてもよい。ケース吸込口８は空気を吸い込み、これに対向するケース吹出口２は空気を吹き出す。
【００１５】
ケース１の内部には送風部が備えられている。送風部は、ケース１内に吸い込まれた空気をケース吸込口８からケース吹出口２まで送り込むために設けられている。またケース１の内部には、送風部とケース吹出口２との間に設けられた熱交換器６を備えている。その他ケース１の内部には、ファンモータ４と仕切り部材１０，１２（図５参照）とを備えている。なお仕切り部材１０，１２については後述する。
【００１６】
送風部は、多翼遠心型のファン３と、たとえば渦型形状を有するケーシングとしての渦型ケーシング７とを含んでいる。渦型ケーシング７としてはケース１内に１対、第１ケーシング７１および第２ケーシング７２を、互いに間隔をあけて有している。ファン３は、複数すなわちたとえば１対の渦型ケーシング７のそれぞれの内部に配置されている。渦型ケーシング７にベルマウス５が形成されている。当該ベルマウス５により規定される開口部（渦型ケーシング吸込口９）に面するように、ファン３が配置されている。
【００１７】
ファンモータ４は、たとえばケース１の上面部１ａに固定されたモータサポート４ａにより支持されている。ファンモータ４は回転軸Ｘ（図３参照）を有する。回転軸Ｘは、側面部１ｃのうちケース吸込口８が形成された面およびケース吹出口２が形成された面に対して平行に伸びるように配置されている。回転軸Ｘには、多翼遠心型のファン３が少なくとも１つ取り付けられている。図２に示した室内機では、２つのファン３が回転軸Ｘに取り付けられている。ファン３は、ケース吸込口８からケース１内に吸込まれケース吹出口２から対象空間へと吹出される空気の流れを作る。
【００１８】
熱交換器６は、ケース１の内部において空気の流動路中に配置される。具体的には、熱交換器６は、図３に示すように送風部の吹出口７ｅとケース吹出口２との間に配置される。熱交換器６は空気の温度を調整する。なお、熱交換器６の構成や態様は特に限定されるものではなく、本実施の形態１では周知のものが用いられている。
【００１９】
このような構成において、ファン３が回転すると、空調対象の部屋の空気は、ケース吸込口８に吸い込まれる。ケース１の内部に吸い込まれた空気は、ベルマウス５によって案内されて、ファン３に吸い込まれる。さらに、ファン３では、吸い込まれた空気が、ファン３の径方向の外側に吹き出される。ファン３から吹き出された空気は、渦型ケーシング７の内部の風路を通過後、渦型ケーシング７の吹出口７ｅ（図３参照）から吹出され、熱交換器６に供給される。熱交換器６に供給された空気は、熱交換器６を通過する際に、熱交換および湿度調整される。その後、空気はケース吹出口２から部屋に吹き出される。
【００２０】
図４は、図３の線分Ａ−Ａにおける部分断面模式図である。図４に示すように、ファン３は、主板３ａと、側板３ｃと、複数の翼３ｄとを備える。主板３ａは、円盤状であり、中心部にボス部３ｂを有する。ボス部３ｂの中央には、ファンモータ４の出力軸が接続される。ファン３は出力軸を介してファンモータ４の駆動力によって回転される。側板３ｃは、主板３ａに対向し設けられる。側板３ｃはリング状に形成される。複数の翼３ｄは、主板３ａから側板３ｃに向かって回転軸Ｘを囲むように設けられている。複数の翼３ｄは、相互に同一形状で設けられる。それぞれの翼３ｄは、内周側の翼前縁より外周側の翼後縁が、ファン３の回転方向に前進して位置した前向き羽根で形成されている。
【００２１】
図５は、実施の形態１における図２のケース１の内部を上方から見た概略平面図である。図５に示すように、渦型ケーシング７は、ファン３を囲うように設けられる。図３および図５を参照して、渦型ケーシング７は、ファン３の外周端に沿って延在する周壁７ａを備える。また、渦型ケーシング７では、周壁７ａの一か所に舌部７ｂを有する。渦型ケーシング７は、ファン３から吹出された空気を整流する。渦型ケーシング７の側壁７ｃには少なくとも１つの渦型ケーシング吸込口９（図２参照）が設けられ、渦型ケーシング吸込口９に気流を案内するベルマウス５が配置されている。ベルマウス５は渦型ケーシング吸込口９を囲むように形成されている。異なる観点から言えば、ベルマウス５はファン３の吸込口に対向する位置に配置されている。ベルマウス５はファン３に流入する気流を整流する。ベルマウス５は、気流の流れ方向の下流に向かって、徐々に内径が小さくなっている。
【００２２】
第１ケーシング７１および第２ケーシング７２のそれぞれは、ケーシング吹出口部７ｄを有している。ケーシング吹出口部７ｄは、熱交換器６に面する位置に、すなわち図５の渦型ケーシング７全体の中では比較的熱交換器６側（図の左側）の領域に、配置されている。ケーシング吹出口部７ｄのうち最も熱交換器６側の端部が吹出口７ｅであり、ここから空気が熱交換器６に向けて吹出される。
【００２３】
ケーシング吹出口部７ｄは、第１ケーシング７１および第２ケーシング７２が並ぶ図５の上下方向に関して、互いに対向するように１対、配置されている。第１ケーシング７１および第２ケーシング７２のそれぞれのケーシング吹出口部７ｄは、それらの間隔が、ケース吹出口２に近づくにつれて、すなわち図５の左側に向かうにつれて狭くなっている。すなわち第１ケーシング７１および第２ケーシング７２が並ぶ幅方向（図５の上下方向）における１対のケーシング吹出口部７ｄそのものの幅は、ケース吹出口２に近づくにつれて、すなわち図５の左側に向かうにつれて広くなっている。そして吹出口７ｅにおいて、ケーシング吹出口部７ｄの幅方向の寸法が最大になり、１対のケーシング吹出口部７ｄの幅方向の間隔が最小となる。
【００２４】
ケース１は、熱交換器６が位置する第１領域を有している。またケース１は、送風部が位置する第２領域を有している。さらにケース１は、１対のケーシング吹出口部７ｄに挟まれた空間１１としての第３領域を有している。つまりケース１内の空間は、第１領域と第２領域と第３領域とに区分される。概ね第１領域は図５の左側半分の領域であり、第２領域は図５の右側半分の領域である。また第３領域は、概ね図５の１対のケーシング吹出口部７ｄ同士が互いに対向する、図５の上下方向の中央部の、１対の対向側面７ｇに挟まれた領域である。
【００２５】
上記のように１対のケーシング吹出口部７ｄは、第３領域と対向する側の側面である対向側面７ｇを有している。この対向側面７ｇは、ケース１の側面部１ｃに対して斜め方向に延びている。また１対のケーシング吹出口部７ｄは、第３領域と対向する側と反対側の側面である非対向側面７ｆを有している。この非対向側面７ｆは、図５の１対のケーシング吹出口部７ｄにおいて最もケース１の側面部１ｃ寄りの側面である。非対向側面７ｆは、ケース１の側面部１ｃに沿うように、すなわちケース１の側面部１ｃにほぼ平行に拡がるように延びている。
【００２６】
ケース１内には、第１領域と、第２領域および第３領域とを区画する仕切り部材１０，１２が配置されている。すなわちケース１内には、第１領域と第２領域とを区画するように図５の上下方向に延びる仕切り部材１０と、第１領域と第３領域とを区画するように図５の上下方向に延びかつケーシング吹出口部７ｄの１対の対向側面７ｇに沿って対向するように延びる仕切り部材１２とを有している。
【００２７】
仕切り部材１２は、第１領域と第３領域とを区画するように図５の上下方向に延びる第１の部分１２ｐを有する。仕切り部材１２はケーシング吹出口部７ｄの１対の対向側面７ｇに沿って対向するように図５の斜め方向に延びる第２の部分１２ｑを有する。また仕切り部材１２は、第２領域と第３領域とを区画する第３の部分１２ｒを有している。この第２領域と第３領域とを区画する第３の部分１２ｒと、上記第１および第２の部分１２ｐ，１２ｑとにより、仕切り部材１２は第３領域である空間１１を取り囲んでいる。
【００２８】
また仕切り部材１０は、図５の渦型ケーシング７とケース１の側面部１ｃとの間の領域において、第１領域と第２領域とを区画する第１の部分１０ｐを有する。また仕切り部材１０は、上記仕切り部材１２の第２領域側に配置される第２の部分１０ｑを有している。以上の仕切り部材１２の第３の部分１２ｒ、および仕切り部材１０の第２の部分１０ｑは、第２領域と第３領域とを区画する、他の仕切り部材として配置されている。
【００２９】
他の仕切り部材である仕切り部材１２の第３の部分１２ｒおよび仕切り部材１０の第２の部分１０ｑは、第１領域と第２領域とを区画する仕切り部材１０の第１の部分１０ｐと、図５の左右方向に関して同じ位置に配置されている。これは上記他の仕切り部材は第２領域と第３領域とを区画するためである。しかし他の仕切り部材はたとえば上記の位置よりも図の右側すなわちケース吸込口８側に配置されてもよい。この場合は、１対のケーシング吹出口部７ｄおよび第３領域が、図５の左右方向に関して、第１領域と第２領域とを跨ぐように配置されることになる。
【００３０】
図６は図５の変形例を示している。図６に示すように、渦型ケーシング７の対向側面７ｇそのものを仕切り部材１２の一部すなわち仕切り部材１２の第２の部分１２ｑとして用いてもよい。図６においては、仕切り部材１２ａが上記仕切り部材１２の対向側面７ｇに沿う第２の部分１２ｑに相当する部分を占めるように構成されている。ただし図６においても、仕切り部材１２の第１の部分１２ｐおよび第３の部分１２ｒについては図５と同様に、図の上下方向に延びるように配置されている。
【００３１】
仕切り部材１０，１２は、一般公知の板状部材により形成されてもよいが、たとえば中実の発泡スチロールにより形成されてもよい。
【００３２】
仕切り部材１０，１２により仕切られた第１〜第３領域の空間の、図３の上下方向の寸法（高さの寸法）は、渦型ケーシング７の吹出口７ｅの高さ寸法以上であり、仕切り部材１０，１２の高さとほぼ等しいことが好ましい。
【００３３】
次に、本実施の形態の作用効果について説明する。
本実施の形態の空気調和機は、複数の渦型ケーシング７のうち互いに隣り合う１対の渦型ケーシング７におけるケーシング吹出口部７ｄの間の距離（間隔）が、ケース吹出口２に近づくほど狭くなる。つまり１対の渦型ケーシング７が並ぶ幅方向における１対のケーシング吹出口部７ｄそのものの幅が、ケース吹出口２に近づくにつれて広くなっている。このため、上記幅方向に関するケーシング吹出口部７ｄの幅と熱交換器６の幅との差を小さくすることができる。このため熱交換器６の幅方向に関する広い部分がケーシング吹出口部７ｄと対向し、ケーシング吹出口部７ｄからの空気の供給を受けることになる。つまり熱交換器６の幅方向に関してケーシング吹出口部７ｄからの空気の供給を受けない領域が少なくなる。このため、ケーシング吹出口部７ｄ側から熱交換器６に流入する風速分布を均一化することができる。
【００３４】
また第３領域はケース吹出口２に近づくほど狭くなる。第２領域から第３領域へ流れ込む空気を少なくすることができる。したがって第３領域に流れ込む空気の量が少なくなる分だけ、たとえ仕切り部材１０の第２の部分１０ｑおよび仕切り部材１２の第３の部分１２ｒが存在しなかったとしても、本来流れるべき方向である第２領域から第１領域への空気の量を多くすることができる。
【００３５】
また上記空気調和機では、熱交換器６が位置する第１領域と送風部が位置する第２領域とを区画する仕切り部材１０が備えられているとともに、１対のケーシング吹出口部７ｄの間に挟まれた第３領域と上記第１領域を区画する仕切り部材１２が備えられている。このため、第１領域から第２領域への空気の流入、および第１領域から第３領域への空気の流入を抑制することができ、気流の乱れや渦の発生を抑制することができる。気流の乱れや渦の発生を抑制することにより、騒音および圧力損失を抑制することができる。
【００３６】
さらに第２領域と第３領域とを区画する他の仕切り部材１０，１２を有することにより、第２領域から第３領域への空気の流入を抑制することができ、気流の乱れや渦の発生を抑制することができる。
【００３７】
以上のように、本実施の形態によれば、ガイドを設けることなく、熱交換器６からケース吹出口２側への気流を拡大することができ、熱交換器６に供給される空気の通過風速を均一化することができる。また熱交換器６への気流の乱れおよび渦による圧力損失および騒音が低減され、ファン３の駆動の高効率化と低騒音化とを図ることができる。
【００３８】
実施の形態２．
図７は、実施の形態２における空気調和機のケース１の内部を上方から見た概略平面図である。図７に示すように、本実施の形態の空気調和機は、基本的に実施の形態１の空気調和機と同様の構成を有している。しかし本実施の形態においては、第３領域としての空間１１の少なくとも一部（図７においてはほぼ全体）に中空箱１３が配置されている。中空箱１３は、その壁面を構成する平板状の箱壁部材１３ａにより形成されている。
【００３９】
図７の箱壁部材１３ａは、図５における仕切り部材１２と同様の位置に、図５と同様に配置されている。すなわち箱壁部材１３ａは、仕切り部材１２の第１の部分１２ｐと同様に第１領域と第３領域とを区画するように図７の上下方向に延びる第１の部分１３ｐと、ケーシング吹出口部７ｄの１対の対向側面７ｇに沿って対向するように図７の斜め方向に延びる第２の部分１３ｑとを有している。さらに箱壁部材１３ａは、第２領域と第３領域とを区画する第３の部分１３ｒを有している。
【００４０】
箱壁部材１３ａの第２の部分１３ｑは、第１ケーシング７１および第２ケーシング７２のそれぞれの対向側面７ｇに接している。そして箱壁部材１３ａは、対向側面７ｇに接する第２の部分１３ｑの少なくとも一部に開口部１３ｂを有している。開口部１３ｂは箱壁部材１３ａが接触する対向側面７ｇの一部にも形成されている。箱壁部材１３ａの開口部１３ｂと対向側面７ｇの開口部とは連通している。中空箱１３の箱壁部材１３ａに囲まれた部分すなわち内部は中空１４となっており、中空１４は空間１１と重なる位置に配置される。このため開口部１３ｂは、１対のケーシング吹出口部７ｄのそれぞれの内部と中空箱１３の内部すなわち中空１４とを連通している。
【００４１】
以上の他は図７に開示された空気調和機の構成は図５に示した構成と同様であるため、同一の構成要素には同一符号を付し、その説明を繰り返さない。
【００４２】
次に、本実施の形態の作用効果について説明する。
本実施の形態においては、中空箱１３が、箱壁部材１３ａに開口部１３ｂを有し、これにより、ケーシング吹出口部７ｄの内部と中空箱１３の内部の中空１４とが連通される。このためファン３から一方のケーシング吹出口部７ｄの内部に達した空気は、そこから２つの開口部１３ｂのうち一方を通って中空１４内に流れることができる。これにより中空箱１３を共鳴箱として機能させ、騒音の発生を抑制することができる。
【００４３】
実施の形態３．
図８は、実施の形態３における空気調和機のケース１の内部を上方から見た概略平面図である。図８に示すように、本実施の形態の空気調和機は、基本的に実施の形態１の空気調和機と同様の構成を有している。しかし本実施の形態においては、第１ケーシング７１および第２ケーシング７２におけるケーシング吹出口部７ｄの、互いに対向しておりその間隔がケース吹出口２に近づくほど狭くなる部分は、第３領域と面する側の表面が曲面形状を有している。すなわち本実施の形態においては、１対の渦型ケーシング７のそれぞれの、第３領域と対向する側の面であり実施の形態１の対向側面７ｇに相当する対向曲面７ｈが曲面形状を有している。この点において本実施の形態は、対向側面７ｇが平面形状を有している実施の形態１，２と構成上異なっている。
【００４４】
以上の他は図８に開示された空気調和機の構成は図５に示した構成と同様であるため、同一の構成要素には同一符号を付し、その説明を繰り返さない。
【００４５】
次に、本実施の形態の作用効果について説明する。
本実施の形態においては、対向曲面７ｈが曲面形状を有しているため、１対の渦型ケーシング７が並ぶ幅方向に関する、渦型ケーシング７の内部の寸法は、ケース吸込口８側からケース吹出口２側に向けて、滑らかに増加する。このため渦型ケーシング７の内部において風路の急拡大が生じない。したがって、渦型ケーシング７の内部の風路の内壁面での気流の剥離が抑制され、剥離による圧力損失を低減できる。さらに対向曲面７ｈが渦型ケーシング７の幅方向の寸法をケース吹出口２側に向けて拡大するため、吹出気流を渦型ケーシング７の吹出口７ｅで十分に拡大でき、実施の形態１と同様に供給される空気の通過風速を均一化することができる。
【００４６】
以上より、本実施の形態は実施の形態１と同様に、ガイドを設けることなく、熱交換器６からケース吹出口２側への気流を拡大することができ、熱交換器６に供給される空気の通過風速を均一化することができる。また熱交換器６への気流の乱れおよび渦による渦型ケーシング７の内部での圧力損失および騒音が低減され、ファン３の駆動の高効率化と低騒音化とを図ることができる。
【００４７】
実施の形態４．
図９は、実施の形態４における空気調和機のケース１の内部を上方から見た概略平面図である。図９に示すように、本実施の形態の空気調和機は、基本的に実施の形態１の空気調和機と同様の構成を有している。しかし本実施の形態においては、第２領域と第３領域とを区画する他の仕切り部材を有さず、第２領域と第３領域とは連通している。すなわち仕切り部材１０は第１の部分１０ｐのみを有し、仕切り部材１２は第１の部分１２ｐと第２の部分１２ｑとのみを有している。なお図９においては図８と同様に１対の渦型ケーシング７は対向曲面７ｈを有するが、対向曲面７ｈの代わりに対向側面７ｇ（図５参照）を有する構成であってもよい。
【００４８】
以上の他は図９の構成は図５の構成と同様であるため、同一の構成要素には同一符号を付し、その説明を繰り返さない。
【００４９】
次に、本実施の形態の作用効果について説明する。
本実施の形態のように第３領域を第２領域と連通させることにより、１対の渦型ケーシング７に挟まれた空間１１の部分を、第３領域から第２領域まで一続きの領域として拡大させることができる。
【００５０】
上記のように基本的にはケース吸込口８側からベルマウス５を介してファン３に空気が流れるが、実際には一部の空気は空間１１側から、ベルマウス５を介してファン３に流れ込む。このとき、仮に第２領域と第３領域とが仕切り部材１０，１２により区画されていると、空間１１側からベルマウス５への気流の流入量が減少し、ベルマウス５に流れる気流に偏りが生じる。これはベルマウス５と、第２領域と第３領域とを区画する仕切り部材１０，１２との距離が相対的に短い分だけ、空間１１側からベルマウス５への気流の流入量が、ケース吸込口８側からベルマウス５への気流の流入量に比べて少なくなるためである。
【００５１】
そこで本実施の形態のように第２領域と第３領域とを区画する仕切り部材１０，１２を除去し、空間１１を第２領域とつなげる態様とすることにより、第１領域と第３領域とを区画する仕切り部材１２の第１の部分１２ｐからベルマウス５までの領域、すなわち空間１１側からベルマウス５への空気流入が可能な領域の大きさを、上記の仮の場合に比べて大きくすることができる。このため空間１１側からベルマウス５へ気流が流れる量が多くなり、ベルマウス５に流れる気流の分布をより均一にすることができる。したがってファン３への気流の流入分布を改善させることができる。
【００５２】
以上より、本実施の形態は実施の形態１と同様に、ガイドを設けることなく、熱交換器６からケース吹出口２側への気流を拡大することができ、熱交換器６に供給される空気の通過風速を均一化することができる。さらにファン３における圧力損失が低減され、ファン３の駆動の高効率化と低騒音化とを図ることができる。
【００５３】
実施の形態５．
図１０は、実施の形態５に係る空気調和装置の構成図である。本実施の形態では、上述した送風部などを備える室内機２００を有する冷凍サイクル装置としての空気調和装置について説明する。図１０に示した空気調和装置は、室外機１００と室内機２００とを備える。これらの室外機１００と室内機２００とは冷媒配管で連結され、冷媒回路を構成している。冷媒回路中では冷媒を循環させている。冷媒配管のうち、気体の冷媒（ガス冷媒）が流れる配管をガス配管３００とする。また、液体を含む冷媒（液冷媒、あるいは気液二相冷媒の場合も含む）が流れる配管を液配管４００とする。
【００５４】
室外機１００は、本実施形態においては、圧縮機１０１、四方弁１０２、室外側熱交換器１０３、室外側送風機１０４、絞り装置（膨張弁）１０５を含む。
【００５５】
圧縮機１０１は、吸入した冷媒を圧縮して吐出する。ここで、圧縮機１０１は、インバータ装置等を備え、運転周波数を任意に変化させることにより、圧縮機１０１の容量（単位時間当たりの冷媒を送り出す量）を細かく変化させることができる。四方弁１０２は、制御装置（図示せず）からの指示に基づいて冷房運転時と暖房運転時とによって冷媒の流路を切り換える。
【００５６】
また、室外側熱交換器１０３は、冷媒と空気（室外の空気）との熱交換を行なう。たとえば、暖房運転時においては蒸発器として機能し、液配管４００から流入した低圧の冷媒と空気との熱交換を行なう。この場合、室外側熱交換器１０３では、冷媒を蒸発させ、気化させる。また、冷房運転時において室外側熱交換器１０３は凝縮器として機能する。この場合、圧縮機１０１において圧縮された冷媒が四方弁１０２側から室外側熱交換器１０３に流入する。室外側熱交換器１０３では、冷媒と空気との熱交換を行ない、冷媒を凝縮して液化させる。室外側熱交換器１０３では、通常のプロペラファンを室外側送風機１０４として用いてもよいが、冷媒と空気との熱交換を効率よく行なうため、上述の実施の形態１〜４で説明した送風部である室外側送風機１０４が設けられてもよい。室外側送風機１０４についても、インバータ装置によりファンモータの運転周波数を任意に変化させて送風ファンとしてのファン３の回転速度を細かく変化させてもよい。絞り装置１０５は、開度を変化させることで、冷媒の圧力等を調整するために設けられる。
【００５７】
一方、室内機２００は、負荷側熱交換器２０１および負荷側送風機２０２で構成される。負荷側熱交換器２０１は冷媒と空気との熱交換を行なう。たとえば、暖房運転時においては凝縮器として機能する。この場合、負荷側熱交換器２０１では、ガス配管３００から流入した冷媒と空気との熱交換を行ない、冷媒を凝縮させて液化（または気液二相化）させる。この結果、負荷側熱交換器２０１から液配管４００側に液化した冷媒が流出する。一方、冷房運転時においては負荷側熱交換器２０１は蒸発器として機能する。たとえば、負荷側熱交換器２０１では、絞り装置１０５により低圧状態にされた冷媒と空気との熱交換を行なう。この場合、負荷側熱交換器２０１では、冷媒に空気の熱を奪わせて蒸発させることにより冷媒を気化させる。負荷側熱交換器２０１から気化した冷媒がガス配管３００側に流出する。また、室内機２００には、熱交換を行なう空気の流れを調整するための負荷側送風機２０２が設けられている。この負荷側送風機２０２の運転速度は、たとえば利用者の設定により決定される。特に限定するものではないが、負荷側送風機２０２にも実施の形態１〜４で説明した送風部を用いることができる。
【００５８】
以上のように実施の形態５の空気調和装置では、実施の形態１〜４において説明した送風部を室外機１００、さらには室内機２００に用いることで、高効率化、低騒音化等を実現することができる。
【００５９】
以上、好ましい実施の形態を参照して本発明の内容を具体的に説明したが、本発明の基本的技術思想および教示に基づいて、当業者であれば、種々の改変態様を採り得ることは自明である。たとえば、本発明の活用例としては、冷凍サイクル装置を構成する室内機、たとえば空気調和装置の室内機はもちろん、その他、遠心送風機が設置される各種装置や設備などに広く利用することができる。
【００６０】
以上に述べた各実施の形態（に含まれる各例）に記載した特徴を、技術的に矛盾のない範囲で適宜組み合わせるように適用してもよい。
【００６１】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【符号の説明】
【００６２】
１  ケース、１ａ  上面部、１ｂ  下面部、１ｃ  側面部、２  ケース吹出口、３  ファン、３ａ  主板、３ｂ  ボス部、３ｃ  側板、３ｄ  翼、４  ファンモータ、４ａ  モータサポート、５  ベルマウス、６  熱交換器、７  渦型ケーシング、７ａ  周壁、７ｂ  舌部、７ｃ  側壁、７ｄ  ケーシング吹出口部、７ｅ  吹出口、７ｆ  非対向側面、７ｇ  対向側面、７ｈ  対向曲面、８  ケース吸込口、９  渦型ケーシング吸込口、１０，１２，１２ａ  仕切り部材、１１  空間、１３  中空箱、１３ａ  箱壁部材、１３ｂ  開口部、１４  中空、７１  第１ケーシング、７２  第２ケーシング、１００  室外機、１０１  圧縮機、１０２  四方弁、１０３  室外側熱交換器、１０４  室外側送風機、１０５  絞り装置、２００  室内機、２０１  負荷側熱交換器、２０２  負荷側送風機、３００  ガス配管、４００  液配管。
【図１】
2018003103.tif 000003
【図２】
2018003103.tif 000004
【図３】
2018003103.tif 000005
【図４】
2018003103.tif 000006
【図５】
2018003103.tif 000007
【図６】
2018003103.tif 000008
【図７】
2018003103.tif 000009
【図８】
2018003103.tif 000010
【図９】
2018003103.tif 000011
【図１０】
2018003103.tif 000012
【手続補正書】
【提出日】平成30年5月24日(2018.5.24)
【手続補正１】
【補正対象書類名】特許請求の範囲
【補正対象項目名】全文
【補正方法】変更
【補正の内容】
【特許請求の範囲】
【請求項１】
空気を吸い込むケース吸込口と、空気を吹き出すケース吹出口とを含むケースと、
前記ケース内に配置され、前記ケース吸込口から前記ケース内に吸い込まれた空気を前記ケース吹出口まで送り込むように構成された送風部と、
前記送風部と前記ケース吹出口との間に設けられた熱交換器とを備え、
前記送風部は、互いに間隔をあけて配置された第１および第２ケーシングを含み、
前記第１および第２ケーシングのそれぞれは前記熱交換器に面する位置にケーシング吹出口部を含み、
前記ケース内には、前記熱交換器が位置する第１領域と、前記送風部が位置する第２領域および前記ケーシング吹出口部の間の第３領域とを区画する仕切り部材を備え、
前記第３領域の少なくとも一部には中空箱が配置されており、
前記中空箱は、前記第１および第２ケーシングの前記ケーシング吹出口部に面する部分の少なくとも一部に、前記ケーシング吹出口部の内部と前記中空箱の内部とを連通する開口部を有する、空気調和機。
【請求項２】
前記第２領域と前記第３領域とを区画する他の仕切り部材をさらに備える、請求項１に記載の空気調和機。
【請求項３】
前記第２領域と前記第３領域とは連通している、請求項１に記載の空気調和機。
【請求項４】
前記第１および第２ケーシングにおける前記ケーシング吹出口部では、前記第３領域と面する側の表面が曲面形状を有している、請求項１〜３のいずれか１項に記載の空気調和機。
【請求項５】
前記第１および第２ケーシングにおける前記ケーシング吹出口部の間隔が、前記ケース吹出口に近づくほど狭くなるように、前記第１および第２ケーシングが並ぶ幅方向における前記ケーシング吹出口部の幅は前記ケース吹出口に近づくほど広くなっている、請求項１〜４のいずれか１項に記載の空気調和機。
【請求項６】
請求項１〜５のいずれか１項に記載の空気調和機を備えた空気調和装置。
【請求項７】
請求項１〜６のいずれか１項に記載の空気調和機を備えた冷凍サイクル装置。
【手続補正２】
【補正対象書類名】明細書
【補正対象項目名】０００８
【補正方法】変更
【補正の内容】
【０００８】
本発明の空気調和機は、ケースと、送風部と、熱交換器とを備える。送風部は、第１および第２ケーシングを含む。第１および第２ケーシングのそれぞれはケーシング吹出口部を含む。ケース内には、熱交換器が位置する第１領域と、送風部が位置する第２領域およびケーシング吹出口部の間の第３領域とを区画する仕切り部材を備える。第３領域の少なくとも一部には中空箱が配置されている。中空箱は、第１および第２ケーシングのケーシング吹出口部に面する部分の少なくとも一部に、ケーシング吹出口部の内部と中空箱の内部とを連通する開口部を有する。
本発明の空気調和機は、ケースと、送風部と、熱交換器とを備える。送風部は、第１および第２ケーシングを含む。第１および第２ケーシングのそれぞれはケーシング吹出口部を含む。第１および第２ケーシングにおけるケーシング吹出口部の間隔が、ケース吹出口に近づくほど狭くなるように、第１および第２ケーシングが並ぶ幅方向におけるケーシング吹出口部の幅はケース吹出口に近づくほど広くなる。ケース内には、熱交換器が位置する第１領域と、送風部が位置する第２領域およびケーシング吹出口部の間の第３領域とを区画する仕切り部材を備える。
【国際調査報告】
2018003103.tif 000013
2018003103.tif 000014
2018003103.tif 000015
2018003103.tif 000016